(57)【要約】【課題】先行して制作された版面上の情報のレイアウトを維持したまま、当該情報に対してペーストされた商品情報に対してより効率良くタグを付与することが可能な編集装置、編集方法、及び編集処理プログラムを提供する。【解決手段】ユーザからの指示に応じて選択した商品情報をコピーするコピー指示があった場合、選択したコピー対象の商品情報と共に当該商品情報に対応付けられたタグを一時記憶領域に保持しておき、その後、ユーザからの指示に応じて選択したダミーの情報に対して上記商品情報をペーストするペースト指示があった場合、該ダミーの情報を、一時記憶領域に保持された商品情報で上書き記録すると共に、一時記憶領域に保持されたタグを上記上書き記録された商品情報に対応付けて表示データにおける所定位置に記録するように構成した。【選択図】図５
2014021655.tif 000002
【特許請求の範囲】
【請求項１】
所定の情報と、第１の属性情報とを対応付けて記録する第１の表示データに基づいて前記第１の属性情報に応じたレイアウトで前記所定の情報を表示させる第１表示手段と、
商品情報と、第２の属性情報と、前記商品情報の項目を示す項目情報とを対応付けて記録する第２の表示データに基づいて前記第２の属性情報に応じたレイアウトで前記商品情報を表示させる第２表示手段と、
ユーザからの指示に応じて選択した前記商品情報をコピーする指示があった場合、選択したコピー対象の前記商品情報と共に当該商品情報に対応付けられた前記項目情報を一時記憶領域に保持する保持手段と、
前記ユーザからの指示に応じて選択した前記所定の情報を、前記一時記憶領域に保持された前記商品情報で上書きする指示があった場合、前記第１の表示データにおいて前記所定の情報を前記商品情報で上書き記録することにより前記第１の属性情報に応じたレイアウトで前記商品情報を表示させ、且つ前記一時記憶領域に保持された前記項目情報を前記上書き記録された前記商品情報に対応付けて前記第１の表示データに記録する記録手段と、
を備えることを特徴とする編集装置。
【請求項２】
請求項１に記載の編集装置において、
前記第２の表示データは、前記２の商品情報が組版処理により所定のデータベースから流し込まれた組版データであることを特徴とする編集装置。
【請求項３】
コンピュータにより実行される編集方法であって、
所定の情報と、第１の属性情報とを対応付けて記録する第１の表示データに基づいて前記第１の属性情報に応じたレイアウトで前記所定の情報を表示させるステップと、
商品情報と、第２の属性情報と、前記商品情報の項目を示す項目情報とを対応付けて記録する第２の表示データに基づいて前記第２の属性情報に応じたレイアウトで前記商品情報を表示させるステップと、
ユーザからの指示に応じて選択した前記商品情報をコピーする指示があった場合、選択したコピー対象の前記商品情報と共に当該商品情報に対応付けられた前記項目情報を一時記憶領域に保持するステップと、
前記ユーザからの指示に応じて選択した前記所定の情報を、前記一時記憶領域に保持された前記商品情報で上書きする指示があった場合、前記第１の表示データにおいて前記所定の情報を前記商品情報で上書き記録することにより前記第１の属性情報に応じたレイアウトで前記商品情報を表示させ、且つ前記一時記憶領域に保持された前記項目情報を前記上書き記録された前記商品情報に対応付けて前記第１の表示データに記録するステップと、
を含むことを特徴とする編集方法。
【請求項４】
コンピュータに、
所定の情報と、第１の属性情報とを対応付けて記録する第１の表示データに基づいて前記第１の属性情報に応じたレイアウトで前記所定の情報を表示させるステップと、
商品情報と、第２の属性情報と、前記商品情報の項目を示す項目情報とを対応付けて記録する第２の表示データに基づいて前記第２の属性情報に応じたレイアウトで前記商品情報を表示させるステップと、
ユーザからの指示に応じて選択した前記商品情報をコピーする指示があった場合、選択したコピー対象の前記商品情報と共に当該商品情報に対応付けられた前記項目情報を一時記憶領域に保持するステップと、
前記ユーザからの指示に応じて選択した前記所定の情報を、前記一時記憶領域に保持された前記商品情報で上書きする指示があった場合、前記第１の表示データにおいて前記所定の情報を前記商品情報で上書き記録することにより前記第１の属性情報に応じたレイアウトで前記商品情報を表示させ、且つ前記一時記憶領域に保持された前記項目情報を前記上書き記録された前記商品情報に対応付けて前記第１の表示データに記録するステップと、
を実行させることを特徴とする編集処理プログラム。
【発明の詳細な説明】
【技術分野】
【０００１】
本発明は、データベース上のデータに基づき、ＤＴＰ（Desk Top Publishing）データの作成及び編集を行うシステム等の技術分野に関する。
【背景技術】
【０００２】
チラシやパンフレットの紙面等の版面制作は、制作データが複雑化し、デザインの要求度が高くなってきているため、自動組版ソフトを使用した完全自動化ではなく、一部作業を自動組版する半自動化で版面制作がなされてきた。チラシでは、配布の２〜３ヶ月前から販促計画や企画が動き出すため、本紙（配布物）の版面のレイアウトのみが先行で制作され、当該版面のレイアウトの完成後に自動組版を使用して版面に掲載（記載）される商品情報を組版（版面のレイアウトを規定するＤＴＰデータに組版）することが一般的である。
【０００３】
例えば、先行して制作された版面のレイアウトを維持したまま商品情報を組版するためには、版面に掲載される商品情報が確定した後、当該商品情報が自動組版された仮の版面上から、作業者の指示に応じて、商品情報を選択（例えば、作業者が仮の版面上に掲載されたテキスト部分をマウスでドラックすることによる）してコピーし、本紙の版面上にペーストする。これにより、本紙の版面上に作業者が直接入力することで起こる誤植などのヒューマンエラーを防止することができる。しかし、コピー＆ペーストされる対象はあくまで版面上に表示されたテキスト部分或いは画像部分であり、仮の版面への商品情報の自動組版時に付与されたタグ（商品、価格、仕様等の商品情報を区分するための項目を示す項目情報）はコピー＆ペーストされる対象とはならない（タグは、版面上に表示されていないため）。そのため、商品情報がコピー＆ペーストされた本紙の版面からの文字抽出や版面への再流し込みができないという問題があった。
【０００４】
特許文献１には、文字抽出や再流し込みするためのタグ付けやタグ管理をすることができるシステムが開示されている。特許文献１に開示されたシステムは、所定のフォント、サイズ、色等の属性が、品名、価格等のいずれの項目を示すものかを予め関連付けたデータベースを備えている。そして、このシステムは、例えばユーザにより選択されたテキストデータの属性に関連付けられた項目をデータベースに基づき特定し、その項目の項目記号（タグ）をテキストデータに付与するようになっている。
【先行技術文献】
【特許文献】
【０００５】
【特許文献１】特許第４３９９２９６号公報
【発明の概要】
【発明が解決しようとする課題】
【０００６】
しかしながら、特許文献１のシステムでは、属性と項目を関連付けたデータベースが必要となり、レイアウトの自由度が高い項目と属性を関連付ける作業が膨大となるという問題がある。また、異なる項目（例えば、商品名と価格）の属性（例えば、フォント及びサイズ）が同一になる場合もあり、この場合、特許文献１のシステムでは、テキストデータに対してタグが二重に付与（つまり、商品名を示すタグと、価格を示すタグが付与）されてしまうという問題が生じる。
【０００７】
そこで、本発明は、上記問題等に鑑みてなされたものであり、先行して制作された版面上の情報のレイアウトを維持したまま、当該情報に対してペーストされた商品情報に対してより効率良くタグ（項目情報）を付与することが可能な編集装置、編集方法、及び編集処理プログラムを提供することを課題とする。
【課題を解決するための手段】
【０００８】
上記課題を解決するために、請求項１に記載の発明は、所定の情報と、第１の属性情報とを対応付けて記録する第１の表示データに基づいて前記第１の属性情報に応じたレイアウトで前記所定の情報を表示させる第１表示手段と、商品情報と、第２の属性情報と、前記商品情報の項目を示す項目情報とを対応付けて記録する第２の表示データに基づいて前記第２の属性情報に応じたレイアウトで前記商品情報を表示させる第２表示手段と、ユーザからの指示に応じて選択した前記商品情報をコピーする指示があった場合、選択したコピー対象の前記商品情報と共に当該商品情報に対応付けられた前記項目情報を一時記憶領域に保持する保持手段と、前記ユーザからの指示に応じて選択した前記所定の情報を、前記一時記憶領域に保持された前記商品情報で上書きする指示があった場合、前記第１の表示データにおいて前記所定の情報を前記商品情報で上書き記録することにより前記第１の属性情報に応じたレイアウトで前記商品情報を表示させ、且つ前記一時記憶領域に保持された前記項目情報を前記上書き記録された前記商品情報に対応付けて前記第１の表示データに記録する記録手段と、を備えることを特徴とする。
【０００９】
請求項２に記載の発明は、請求項１に記載の編集装置において、前記第２の表示データは、前記２の商品情報が組版処理により所定のデータベースから流し込まれた組版データであることを特徴とする。
【００１０】
請求項３に記載の発明は、コンピュータにより実行される編集方法であって、所定の情報と、第１の属性情報とを対応付けて記録する第１の表示データに基づいて前記第１の属性情報に応じたレイアウトで前記所定の情報を表示させるステップと、商品情報と、第２の属性情報と、前記商品情報の項目を示す項目情報とを対応付けて記録する第２の表示データに基づいて前記第２の属性情報に応じたレイアウトで前記商品情報を表示させるステップと、ユーザからの指示に応じて選択した前記商品情報をコピーする指示があった場合、選択したコピー対象の前記商品情報と共に当該商品情報に対応付けられた前記項目情報を一時記憶領域に保持するステップと、前記ユーザからの指示に応じて選択した前記所定の情報を、前記一時記憶領域に保持された前記商品情報で上書きする指示があった場合、前記第１の表示データにおいて前記所定の情報を前記商品情報で上書き記録することにより前記第１の属性情報に応じたレイアウトで前記商品情報を表示させ、且つ前記一時記憶領域に保持された前記項目情報を前記上書き記録された前記商品情報に対応付けて前記第１の表示データに記録するステップと、を含むことを特徴とする。
【００１１】
請求項４に記載の発明は、コンピュータに、所定の情報と、第１の属性情報とを対応付けて記録する第１の表示データに基づいて前記第１の属性情報に応じたレイアウトで前記所定の情報を表示させるステップと、商品情報と、第２の属性情報と、前記商品情報の項目を示す項目情報とを対応付けて記録する第２の表示データに基づいて前記第２の属性情報に応じたレイアウトで前記商品情報を表示させるステップと、ユーザからの指示に応じて選択した前記商品情報をコピーする指示があった場合、選択したコピー対象の前記商品情報と共に当該商品情報に対応付けられた前記項目情報を一時記憶領域に保持するステップと、前記ユーザからの指示に応じて選択した前記所定の情報を、前記一時記憶領域に保持された前記商品情報で上書きする指示があった場合、前記第１の表示データにおいて前記所定の情報を前記商品情報で上書き記録することにより前記第１の属性情報に応じたレイアウトで前記商品情報を表示させ、且つ前記一時記憶領域に保持された前記項目情報を前記上書き記録された前記商品情報に対応付けて前記第１の表示データに記録するステップと、を実行させることを特徴とする。
【発明の効果】
【００１２】
本発明によれば、先行して制作された版面上の情報のレイアウトを維持したまま、当該情報に対してペーストされた商品情報に対してより効率良くタグを付与することができる。
【図面の簡単な説明】
【００１３】
【図１】本実施形態に係るＤＴＰ編集システムの概要構成例を示す図である。
【図２】処理部２１における編集処理の一例を示すフローチャートである。
【図３】ディスプレイに表示された本紙の版面を示す図である。
【図４】ディスプレイに表示された仮の版面を示す図である。
【図５】ユーザの指示に応じて選択された商品情報をコピーし、これを本紙の版面上にペーストする場合の様子を示す図である。
【発明を実施するための形態】
【００１４】
以下、本発明を実施するための形態について、図面に基づいて説明する。なお、以下に説明する実施の形態は、ＤＴＰ編集システムに対して本発明を適用した場合の実施形態である。
【００１５】
先ず、図１を参照して、本実施形態に係るＤＴＰ編集システムの構成及び機能について説明する。図１は、本実施形態に係るＤＴＰ編集システムの概要構成例を示す図である。図１に示すように、ＤＴＰ編集システムＳは、データベースサーバ１と、編集装置の一例としての組版端末２とを備えて構成されており、データベースサーバ１と組版端末２とはＬＡＮ（Local Area Network）等のネットワーク３を介して接続されている。
【００１６】
データベースサーバ１は、例えばサーバコンピュータからなり、記憶部（例えばハードディスクドライブ等からなる）には、カタログ、チラシ、又は雑誌等のＤＴＰデータ（表示データ、組版データの一例）の基になる商品（カタログ等の版上に掲載される商品）のレコードを商品ごとに登録する商品データベースが構築されている。各レコードには、商品情報が、商品コード、商品名、商品の価格、商品の仕様（例えば、カラー、サイズ、素材等）、及び商品の画像ファイル名等の項目（フィールド）に区分されて含まれる。
【００１７】
組版端末２は、ＣＰＵ，ＲＡＭ，データ及びプログラムを記憶するＲＯＭ等を備える処理部２１、ハードディスクドライブ等を備える記憶部２２、ディスプレイを備える表示部２３、マウス及びキーボード等を備える操作部２４、及びネットワーク３を介してデータベースサーバ１と通信を行うための通信部２５を備えて構成されている。
【００１８】
そして、処理部２１は、コンピュータとしてのＣＰＵが例えば記憶部２２に記憶されているＤＴＰ編集アプリケーションプログラム（本発明の編集プログラムを含む）を読み出し実行することにより、ユーザからの指示に従って、ＤＴＰデータを作成する。作成されたＤＴＰデータは、記憶部２２に記憶される。なお、ＤＴＰデータの作成方法は公知であるため、説明を省略する。また、処理部２１は、本発明の、第１表示手段、第２表示手段、保持手段、及び記録手段等として機能し、後述する処理を行うようになっている。
【００１９】
ＤＴＰデータは、例えば商品情報が組版（流し込まれる）される複数のオブジェクト等により構成される。ＤＴＰデータにおける各オブジェクトは、ＤＴＰデータの表示処理によりディスプレイに表示された版面上に、ユーザにより視認可能なボックス（例えば、矩形状のボックス）として表示可能になっている。なお、版面上において、複数のオブジェクトが一纏まりとされた小区画部分（以下、「コマ」という）が複数配置される場合と、各オブジェクトがコマとは無関係に散らばって配置される場合とがある。コマ内には、例えば、ある商品、またはあるセット商品（２以上の商品からなる商品）の商品名、価格、及び画像等が表示される。商品名及び価格等の商品情報（文字データ）は、文字のオブジェクトに組版される（流し込まれる）ことにより表示される。一方、画像の商品情報（画像データ）は、画像のオブジェクトに組版されることにより表示される。
【００２０】
各オブジェクトには、版面上におけるオブジェクトの位置情報、及びオブジェクトのサイズ等がＤＴＰデータ内に設定されている。また、ＤＴＰデータ内には、オブジェクトごとに情報を記録する記録領域が設けられている。この記録領域には、表示領域と非表示領域とがある。表示領域と非表示領域とは対応付けられている。これにより、表示領域に記録された情報と非表示領域に記録される情報とが対応付けられる。表示領域に記録された情報は、ＤＴＰデータの表示処理によりディスプレイに表示される。表示領域に記録される情報としては、ダミーの情報や、オブジェクトに組版された商品情報が該当する。一方、非表示領域に記録された情報は、ＤＴＰデータの表示処理によりディスプレイに表示されない。非表示領域に記録される情報としては、商品情報の属性を示す属性情報、及び商品情報の項目を示す項目情報（以下、「タグ」という）等が該当する。ここで、商品情報の属性としては、商品情報に係る文字のフォント、サイズ、色等が挙げられる。
【００２１】
次に、図２〜図５等を参照して、本実施形態に係る組版端末２における処理部２１の処理について説明する。なお、以下に説明においては、商品データベースから商品情報が組版処理により自動組版された仮の版面上からユーザの指示に応じて選択された商品情報をコピーし、これを本紙の版面上にペーストする場合を例にとる。図２は、処理部２１における編集処理の一例を示すフローチャートである。図３は、ディスプレイに表示された本紙の版面を示す図である。図４は、ディスプレイに表示された仮の版面を示す図である。図５は、ユーザの指示に応じて選択された商品情報をコピーし、これを本紙の版面上にペーストする場合の様子を示す図である。
【００２２】
図３に示す本紙の版面と、図４に示す仮の版面は、それぞれのＤＴＰデータに基づいて表示される。図３に示す本紙の版面のレイアウトは先行して制作されるものであり、このとき、商品情報は確定していないので、データ内容はダミーとなる。図３に示す本紙の版面におけるコマ５１内に配置されたオブジェクト５１ａの表示領域には、「▲▲▲」というダミーの情報（データ内容）が記録されており、このダミーの情報（所定の情報の一例）が版面上のオブジェクト５１ａ内に表示されている。また、オブジェクト５１ａの非表示領域には属性情報（第１の属性情報の一例）が記録されており、この属性情報に応じたレイアウト（例えばフォント及び色）で「▲▲▲」というダミーの情報が表示されている。なお、本紙の版面における各オブジェクトには商品データベースから商品情報が流し込まれていないので、各オブジェクトの非表示領域にはタグは記録されていない。つまり、各オブジェクトの情報にはタグが付与されていない。一方、図４に示す仮の版面には、商品情報が確定した後に、自動組版により当該商品情報が流し込まれている。図４に示す仮の版面におけるコマ５２内に配置されたオブジェクト５２ａの表示領域には、「XXXみかん」という商品情報（データ内容）が記録されており、この商品情報が版面上のオブジェクト５２ａ内に表示されている。また、オブジェクト５２ａの非表示領域には属性情報（第２の属性情報の一例）が記録されており、この属性情報に応じたレイアウト（例えばフォント及びに色）で「XXXみかん」という商品情報が表示されている。また、仮の版面における各オブジェクトには商品データベースから商品情報が流し込まれているので、各オブジェクトの非表示領域にはタグが記録されている。つまり、各オブジェクトの商品情報（データ内容）にはタグが付与されている。例えば、オブジェクト５２ａの非表示領域には「商品名」を示すタグが記録されている。
【００２３】
先ず、仮の版面が表示された状態において、処理部２１は、ユーザからの操作部２４を介した選択指示（例えば商品情報に係るテキスト部分をマウスでドラッグ）に応じて、図２に示す処理を開始し、図５に示すように、仮の版面上に表示されている商品情報（例えば、オブジェクト５２ａ内の「XXXみかん」）を選択する（ステップＳ１、図５に示す手順１）。次いで、ユーザからの選択指示に応じて選択した商品情報をコピーするコピー指示があった場合、処理部２１は、選択した商品情報がタグ取得可能なデータであるか否かを判定する（ステップＳ２）。例えば、処理部２１は、選択した商品情報を表示するオブジェクト５２ａの非表示領域を検索し、タグが記録されていればタグ取得可能なデータであると判定する。そして、選択された商品情報がタグ取得可能なデータでないと判定された場合（ステップＳ２：ＮＯ）、図２に示す処理を終了して、通常のコピー処理へ移行する。一方、選択された商品情報がタグ取得可能なデータであると判定された場合（ステップＳ２：ＹＥＳ）、ステップＳ３へ進む。
【００２４】
ステップＳ３では、処理部２１は、上記選択したコピー対象の商品情報と共に、当該商品情報に対応付けられた例えば商品名を示すタグを、オブジェクト５２ａの記録領域からコピー（取得）する（図５に示す手順２）。このとき、コピー対象の商品情報に対応付けられた属性情報はコピーされないようになっている。次いで、処理部２１は、コピーした商品情報及びタグを、メモリ（例えばＲＡＭ等の内部記憶装置）の一時記憶領域に保持（一時記憶）する（ステップＳ４）。
【００２５】
次に、本紙の版面が表示された状態において、処理部２１は、ユーザからの操作部２４を介した選択指示に応じて、図５に示すように、本紙の版面上に表示されているダミーの情報（例えば、オブジェクト５１ａ内の「▲▲▲」）を選択する（ステップＳ５、図５に示す手順３）。次いで、ユーザからの選択指示に応じて選択したダミーの情報に対して上記商品情報をペーストするペースト指示があった場合（例えば、選択したダミーの情報「▲▲▲」を、一時記憶領域に保持された商品情報「XXXみかん」で上書きする指示があった場合）、処理部２１は、上記ステップＳ４で一時記憶領域に保持された商品情報及びタグを取得する（ステップＳ６）。
【００２６】
次いで、処理部２１は、ステップＳ５で選択されたダミーの情報を、一時記憶領域に保持された商品情報「XXXみかん」で上書き（オブジェクト５１ａの表示領域に記録されているデータ内容を上書き）記録すると共に、一時記憶領域に保持された例えば商品名を示すタグを上記上書き記録された商品情報に対応付けてオブジェクト５１ａの非表示領域（予め定められたタグの記録位置）に記録する（ステップＳ７、図５に示す手順４）。これにより、ダミーの情報に対応付けられていた属性情報（オブジェクト５１ａの非表示領域に記録されている属性情報）に応じたレイアウトで、上記上書き記録された商品情報が表示される。つまり、ダミーの情報の属性が維持されたまま、商品情報及びタグを仮の版面から引き継ぐことができる。
【００２７】
以上説明したように、上記実施形態によれば、ユーザからの指示に応じて選択した商品情報をコピーするコピー指示があった場合、選択したコピー対象の商品情報と共に当該商品情報に対応付けられたタグを一時記憶領域に保持しておき、その後、ユーザからの指示に応じて選択したダミーの情報に対して上記商品情報をペーストするペースト指示があった場合、該ダミーの情報を、一時記憶領域に保持された商品情報で上書き記録すると共に、一時記憶領域に保持されたタグを上記上書き記録された商品情報に対応付けてＤＴＰデータにおける所定位置に記録するように構成したので、先行して制作された版面上のダミーの情報のレイアウトを維持したまま、当該ダミーの情報に対してペーストされた商品情報に対してより効率良くタグを付与することができる。つまり、上記実施形態においては、タグ付け工程、例えばレイアウトの自由度が高い項目と属性を関連付ける作業工程を削減することができる。また、異なる項目の属性が重なっても、タグが二重に付与されることを防止することができる。
【符号の説明】
【００２８】
１  データベースサーバ
２  組版端末
３  ネットワーク
２１  処理部
２２  記憶部
２３  表示部
２４  操作部
２５  通信部
Ｓ  ＤＴＰ編集システム
【図１】
2014021655.tif 000003
【図２】
2014021655.tif 000004
【図３】
2014021655.tif 000005
【図４】
2014021655.tif 000006
【図５】
2014021655.tif 000007